【事件の表示】
　特願２００１−３２４９５３「弾球遊技機」拒絶査定不服審判事件〔平成１５年　５月　７日出願公開、特開２００３−１２６４４９〕について、次のとおり審決する。
【結　論】
　本件審判の請求は、成り立たない。
【理　由】
１．手続の経緯 
　本願は、平成１３年１０月２３日の出願であって、平成１６年１０月８日付けで拒絶査定がされ、これに対し平成１６年１１月１１日に拒絶査定不服審判が請求されるとともに、平成１６年１２月９日付けで手続補正がされ、当審において、平成１９年８月１６日付で、平成１６年１２月９日付けの手続補正が却下されるとともに拒絶の理由が通知され、これに対し平成１９年１０月１７日付けで手続補正がされた。 
　　 
２．本願発明 
　本願の請求項１に記載された発明は、平成１９年１０月１７日付けの手続補正により補正された明細書の特許請求の範囲の請求項１に記載された以下のとおりのものと認める。
　 
　「複数の遊技図柄を変動表示する図柄表示手段(23,60) と、この図柄表示手段(23,60) で表示される遊技図柄の変動後の停止図柄態様を特定態様にするか否か抽選する抽選手段(51)と、図柄表示手段(23,60) により複数種類の特定態様の何れかが表示された場合に通常閉の大入賞手段(18)を開閉させて遊技者に有利な利益状態を発生させる利益状態発生手段(53)とを備えた弾球遊技機において、
　前記複数種類の特定態様は、複数種類の第１特定態様と複数種類の第２特定態様とを含み、図柄表示手段(23,60) により第２特定態様が表示された場合に、前記利益状態の発生後に前記抽選手段(51)により停止図柄態様を特定態様にする抽選確率を高くする確率変動手段(55)を備え、
　前記停止図柄態様は１つの第１停止図柄と２つの第２停止図柄からなり、
　前記抽選手段(51)の抽選結果に基づいて、前記遊技図柄の変動後の停止図柄態様を構成する第１，第２停止図柄を、夫々、予め設定された複数の第１，第２停止図柄の中から決定する第１，第２停止図柄決定手段(54,61) を設けるとともに、第２停止図柄決定手段(61)は、第１停止図柄決定手段(54)による第１停止図柄の決定後に乱数抽選により第２停止図柄を決定するように構成され、
　前記予め設定された複数の第１停止図柄は、前記予め設定された複数の第２停止図柄と異なる図柄で構成されるとともに、前記複数種類の第１特定態様にのみ共通の図柄であって第１特定態様の一部となる１種類の第１特定態様専用の図柄と、前記複数種類の第２特定態様にのみ共通の図柄であって第２特定態様の一部となる１種類の第２特定態様専用の図柄と、前記複数種類の特定態様以外の複数種類の非特定態様にのみ共通の図柄であって非特定態様の一部となる１種類の非特定態様専用の図柄のみで構成され、
  前記抽選手段(51)と第１停止図柄決定手段(54)とを主制御基板(39)上に構成し、前記第２停止図柄決定手段(61)を主制御基板(39)に対して別基板構成の副制御基板(40)上に構成したことを特徴とする弾球遊技機。」（以下、「本願発明」という。） 
　 
３．引用文献　 
（１）引用文献１
　本件出願前に頒布された特開２００１−１１２９５８号公報（以下、「引用文献１」という。）には、以下の事項が図面とともに記載されている。  
 　  
・記載事項１−１  
　「【特許請求の範囲】【請求項１】主に遊技盤(5) の遊技動作を制御する主制御手段(50)と、前記主制御手段(50)から送信される図柄制御コマンドを受信し且つその図柄制御コマンドに基づいて遊技盤(5) に設けられた図柄表示手段(22)の図柄の変動制御を行なう図柄制御手段(60)と、前記図柄表示手段(22)の変動停止時の図柄に関連して遊技者に不利となる第１状態と遊技者に有利となる第２状態とに変化可能な可変入賞装置(18)とを備えた弾球遊技機において、 
　前記主制御手段(50)は図柄制御手段(60)に図柄変動の開始から停止までの図柄変動時間を指令する変動時間情報を含む図柄制御コマンドを出力可能に構成されていることを特徴とする弾球遊技機。」 
 　　 
・記載事項１−２ 
　「【００１２】また、前記図柄制御手段は、図柄制御コマンドに含まれる当たり外れ情報に基づいて停止図柄を決定する停止図柄決定手段を有する場合（請求項２に従属の請求項４）には、図柄制御手段の停止図柄決定手段により、外れ情報に基づいて、停止図柄として「２４６」、「１２３」・・・等の複数種類の外れ停止図柄のうちの何れかに決定でき、当たり情報に基づいて、確率変動型大当たりとして「３３３」、「５５５」・・・等の複数種類の大当たり停止図柄のうちの何れかに決定でき、非確率変動型大当たりとして「２２２」、「４４４」・・・等の複数種類の大当たり停止図柄のうちの何れかに決定できる。」
　
・記載事項１−３
　「【００２０】　液晶ディスプレイ１６は、普通の遊技画像等の遊技情報を表示する他、変動図柄を表示する図柄表示手段２２として機能する。図柄表示手段２２は、例えば左右方向に並ぶ３個（左、中、右）の図柄表示部２２ａ〜２２ｃを有し、図柄始動手段１７に遊技球が入賞することを条件に、各図柄表示部２２ａ〜２２ｃの表示図柄が所定時間だけ変動し、図柄始動手段１７への遊技球の入賞時における抽選結果に基づいて決定される停止図柄を表示して停止するようになっている。」
　
・記載事項１−４ 
　「【００２４】裏機構板３０の開口部３０ａには、遊技盤５の裏側に装着された裏カバー３７と、入賞手段１７〜１９に入賞した遊技球を排出する入賞球排出樋（図示略）とが夫々嵌合されている。この裏カバー３７に装着されたケース３８の内部に主制御基板３９が配設され、その前側に表示制御基板４０が配設されている。主制御基板３９の下側で、裏カバー３７に装着されたケース４１ａの内部にランプ制御基板４２が設けられ、このケース４１ａに隣接するケース４１ｂの内部にサウンド制御基板４３が設けられている。」 
 　　 
・記載事項１− ５
　「【００２７】ここで、主制御基板３９は遊技盤５に設けられた種々の遊技部品に対する制御を主として司る主制御手段５０として機能し、表示制御基板４０は図柄表示手段２２の各図柄表示部２２ａ〜２２ｃに表示する図柄を変動制御する図柄制御手段６０として機能する。」 
 　　 
 ・記載事項１−６  
　「【００２８】主制御手段５０は、抽選手段５１と、抽選結果判定手段５２と、コマンド出力手段５３と、遊技状態発生手段５４と、確率変動手段５５等を備えるとともに、払出し制御手段７０、ランプ制御手段８０、サウンド制御手段８１、発射制御手段８２等を必要に応じて駆動制御可能である。抽選手段５１は、図柄始動手段１７に遊技球が入賞したことを検出したとき、大当たり抽選用カウンタを用いて複数の抽選用数値（例えば、０〜299)のうちから１つの数値を抽出することにより、大当たりに関する抽選を行う。」  
 　  
・記載事項１−７  
　「【００２９】抽選結果判定手段５２は、図始動手段１７に遊技球が入賞したときに抽選手段５１から供給される抽選結果の数値が、「確率変動型大当り」、「非確率変動型大当り」、「外れ」のうちの何れであるかを判定する。（中略）コマンド出力手段５３は、抽選結果判定手段５２から抽選結果を受け、図８に示すように、図柄制御コマンドに用いる当たり外れコードとして、確率変動型大当りのときには４２[H] を適用し、非確率変動型大当りのときには４３[H] を適用し、外れのときには４４[H] を適用する。」 
 　 
・記載事項１−８ 
「【００３１】（中略）遊技状態発生手段５４は、抽選結果判定手段５２から大当たりの判定結果を受ける、若しくは、図柄表示手段２２の変動後の停止図柄が大当り図柄となった場合に、所定の特別遊技発生プログラムにより、開閉式入賞手段１８の開閉板１８ａを開状態として遊技者に利益状態を与える特別遊技状態とする。ここで、この特別遊技状態が第２状態に相当し、特別遊技状態以外の通常状態が第１状態に相当する。
【００３２】確率変動手段５５は、確率変動型大当たりが抽選された場合に限って、確率変動モードを設定し、次回又は次々回の大当たりまで、抽選手段５１で抽選する抽選対象の１サイクル分の数値の数を大幅に減少させ、大当たり確率を高く設定する。確率変動手段５５は、更に、第２図柄表示手段２３の図柄変動時間を短縮するとともに、小当たりする確率を高くし、小当たりの場合には、図柄始動手段１７の開閉爪１７ａの開放時間を延長する」 
 　 
・記載事項１−９ 
　「【００３３】次に、図柄制御手段６０は、停止図柄決定手段６１を設け、コマンド出力手段５３から送信される図柄制御コマンドを受信し、その図柄制御コマンドに基づいて、図柄表示手段２２の各図柄表示部２２ａ〜２２ｃを変動表示制御する。」 
 　　  
・記載事項１−１０   
　「【００３４】停止図柄決定手段６１は、更に、図１１の変動パターンテーブルＨＴに示すように、「確率変動型大当たり」、「非確率変動型大当たり」、「外れリーチ」、「外れノーマル」の各々について、３つの図柄表示部２２ａ〜２２ｃの各々を図柄変動させるための複数のパターンデータがテーブル型式で区別して記憶されている。即ち、例えば、「確率変動型大当たり」については、図柄表示部２２ａ〜２２ｃを図柄変動させるための図柄変動データと、「３３３」、「５５５」・・・などの大当たり停止図柄の為のデータとを有する第１、第２・・・の確変型大当たりパターンデータが記憶されている。」 
 　 
・記載事項１−１１ 
　「【００３６】その結果、図柄制御手段６０においては、先ず受信した図柄制御コマンドを解析し、当たり外れコード「４２[H] 」に基づいて「確率変動型大当り」であることを認識するとともに、変動時間コード「０１[H] 」に基づいて変動時間が「長時間（約60秒) 」であることを認識する。次に、変動パターンテーブルＨＴのデータに基づいて、「確率変動型大当り」に関する複数の変動パターンのうちから１つが抽選により求められる。このとき、その確変型大当たりパターンのデータを読み込み、その変動パターンのデータに基づいて各図柄表示部２２ａ〜２２ｃについて図柄の変動制御が開始される。即ち、この時点から約60秒間であるｔ１の変動時間に亙って図柄が変動表示されることになる。」
　
・記載事項１−１２
　「【００４２】図柄制御手段６０は、図柄制御コマンドに含まれる当たり外れ情報に基づいて停止図柄を決定する停止図柄決定手段６１を有するので、その停止図柄決定手段６１により、外れ情報に基づいて複数種類の外れ停止図柄のうちの何れかに決定でき、当たり情報に基づいて、複数種類の大当たり停止図柄のうちの何れかに決定でき、又は複数種類の大当たり停止図柄のうちの何れかに決定でき、図柄表示手段における図柄変動制御の自由度を高めることができる。
 　 
 　以上の記載事項１−１〜１−１２及び図１〜１３によれば、引用文献１には次の発明が記載されていると認められる。  
 　「複数の図柄を変動表示する図柄表示手段２２と、複数の抽選用数値のうちから１つの数値を抽選することにより大当たりに関する抽選を行う抽選手段５１及び抽選手段５１から供給される抽選結果の数値が「確率変動型大当り」、「非確率変動型大当り」、「外れ」のうちの何れであるかを判定する抽選結果判定手段５２と、図柄表示手段２２の変動後の停止図柄が大当り図柄となった場合に開閉式入賞手段１８の開閉板１８ａを開状態として遊技者に利益状態を与える特別遊技状態とする遊技状態発生手段５４とを備えた弾球遊技機において、
　大当たり停止図柄は、複数種類の非確率変動型大当たりの停止図柄と複数種類の確率変動型大当たりの停止図柄とを含み、図柄表示手段２２により確率変動型大当たりの停止図柄が表示された場合に次回又は次々回の大当たりまで大当たり確率を高く設定する確率変動手段５５を備え、
　停止図柄は左、中、右の図柄表示部２２ａ〜２２ｃの停止図柄からなり、
　抽選結果判定手段５２からの抽選結果に基づく当たり外れコードを受け、図柄表示部２２ａ〜２２ｃを図柄変動させるための図柄変動データと停止図柄の為のデータとを有する変動パターンテーブルＨＴに基づいて、抽選にてパターンデータを決定するとともに停止図柄を決定する停止図柄決定手段６１を設け、
　抽選手段５１及び抽選結果判定手段５２を主制御手段の一部として主制御基板に設け、停止図柄決定手段６１は図柄制御手段６０の一部として表示制御基板４０に構成した弾球遊技機。」（以下、「引用発明１」という。）  
 　 
 （２）本件出願前に頒布された特開平６−１３４１１２号公報（以下、「引用文献２」という。）には、以下の事項が図面とともに記載されている。  　 
・記載事項２−１ 
 　「【００２１】両第１表示体３０Ａ，３０Ｂが変動表示する上図柄および中図柄は１，２，３、４、５、６、７、８、９，Ｌ，Ａ，Ｎ，Ｄの１３種類で、上第１表示体３０Ａは１３図柄を始めに１図柄０．１２８秒、１周期１．６６４秒の移行速度で４．０４秒間高速変動表示し、続いて１図柄０．５１２秒、１周期６．６５６秒の移行速度で１．０２４秒間低速変動表示してから、図柄の変動表示を停止し、０〜１２の上停止図柄データのうちの１つの上停止図柄データに該当する上図柄が特定される。」 
 　 
・記載事項２−２ 
 　「【００２８】第２表示体４０の表面の印刷シートには周方向へ配列されたＶ、青星、聖書、黄星、剣、赤星、地図、青星、ドクロ、黄星、気球、赤星、ダイヤ、ピンク星、太陽、ピンク星の１５種類の下図柄が印刷によって連記されている。」 
 　 
・記載事項２−３ 
 　「【００３２】両第１表示体３０Ａ，３０Ｂが特定した上図柄および中図柄が一致してリーチと判定された場合には第２表示体４０は下第１表示体３０Ｂが変動表示を停止し 
 てから、０．０５６〜１．４９６秒間変動表示を継続し、さらに、０．４秒間停止して０．０９６秒間変動表示する間欠変動表示を変動時間Ｆ秒間反復してから、下図柄の変動表示を停止し、その０．００４秒後に上、中、下図柄の組合わせが判定される。」 
 　 
・記載事項２−４ 
 　「【００３７】上図柄および中図柄が同図柄となってリーチとなり、第２表示体４０の停止図柄がＶとなった場合、すなわち、上、中、下図柄の組合わせが１１Ｖ，２２Ｖ，３３Ｖ，４４Ｖ，５５Ｖ，６６Ｖ，７７Ｖ，８８Ｖ，９９Ｖ，ＬＬＶ，ＡＡＶ，ＮＮＶ，ＤＤＶのうちの何れかとなった場合に大当りとなり、それ以外の場合は外れとなる。」 
 　 
・記載事項２−５ 
 「【００４４】続いて、上記した構成をもつ実施例の作用と効果を説明する。 
 　本例では発光素子によって電気的に表示される複数の図柄の変動表示が可能な上下第１表示体３０Ａ，３０Ｂと、当り図柄Ｖを含む１５種類の図柄が連記され、表示体駆動モータ３６によって回転駆動されて図柄を変動表示する第２表示体４０とを有する図柄表示装置２と、各表示体３０Ａ，３０Ｂ，４０が特定した上、中、下図柄の組合わせの判定結果に基づいて開閉制御される大入賞口４を有する入賞装置２とを装着してある。」 
 　 
３．対比  
 　本願発明と引用発明１を対比する。 
 　引用発明１の「図柄」、「開閉式入賞手段１８」は、本願発明の「遊技図柄」、「大入賞手段(18)」に相当する。 
 　そして、引用発明１について、以下の（１）〜（５）のことがいえる。 
 （１）「複数の抽選用数値のうちから１つの数値を抽選することにより大当たりに関する抽選を行う抽選手段５１及び抽選手段５１から供給される抽選結果の数値が「確率変動型大当り」、「非確率変動型大当り」、「外れ」のうちの何れであるかを判定する抽選結果判定手段５２と、」について 
 　本願の出願当初の明細書の段落０００４には、「遊技図柄の変動後の停止図柄態様として、「当たり」の場合には特定態様（例えば、「０，０，０」〜「９，９，９」の同数字の３つの組合せの何れか）を表示させ、「外れ」の場合には非特定態様（特定態様以外の外れ態様であり、リーチ有り外れ態様とリーチ無し外れ態様とを含む）を表示させる。」と記載されていることから、引用発明１の「確率変動型大当り」、「非確率変動型大当り」の場合は変動後の停止図柄態様は本願発明における特定態様に相当し、「外れ」の場合は本願発明における非特定態様に相当する。そして、引用発明１の「抽選手段５１」及び「抽選結果判定手段５２」は、あわせて特定態様とするか否かを抽選しているから、本願発明の「抽選手段」に相当する。 
 　したがって、引用文献１記載の発明は、「図柄表示手段で表示される遊技図柄の変動後の停止図柄態様を特定態様にするか否か抽選する抽選手段」なる構成を実質的に具備している。 
 （２）「図柄表示手段２２の変動後の停止図柄が大当り図柄となった場合に開閉式入賞手段１８の開閉板１８ａを開状態として遊技者に利益状態を与える特別遊技状態とする遊技状態発生手段５４」について 
 　引用文献１には、大当たり図柄すなわち特定態様の例として、「３３３」、「５５５」、「２２２」、「４４４」が記載されており、引用発明１も特定態様は複数あることは明らかである。また、「開閉式入賞手段１８の開閉板１８ａを開状態として」は「通常閉の大入賞手段(18)を開閉させて」と言い換えることができ、また「遊技者に利益状態を与える特別遊技状態とする」は「遊技者に有利な利益状態を発生させる」と言い換えることができる。　
　したがって、引用発明１は、「図柄表示手段により複数種類の特定態様の何れかが表示された場合に通常閉の大入賞手段を開閉させて遊技者に有利な利益状態を発生させる利益状態発生手段」なる構成を実質的に具備している。 
 （３）「大当たり停止図柄は、複数種類の非確率変動型大当たりの停止図柄と複数種類の確率変動型大当たりの停止図柄とを含み、図柄表示手段２２により確率変動型大当たりの停止図柄が表示された場合に次回又は次々回の大当たりまで大当たり確率を高く設定する確率変動手段５５を備え」について
　「非確率変動型大当たりの停止図柄」、「確率変動型大当たりの停止図柄」「次回又は次々回の大当たりまで大当たり確率を高く設定する」は、それぞれ「第１特定態様」、「第２特定態様」、「利益状態の発生後に抽選手段により停止図柄態様を特定態様にする抽選確率を高くする」と言い換えることができる。　
　したがって、引用発明１は「複数種類の特定態様は、複数種類の第１特定態様と複数種類の第２特定態様とを含み、図柄表示手段により第２特定態様が表示された場合に、前記利益状態の発生後に前記抽選手段により停止図柄態様を特定態様にする抽選確率を高くする確率変動手段を備え」なる構成を実質的に具備している。
（４）「停止図柄は左、中、右の図柄表示部２２ａ〜２２ｃの停止図柄からなり」について
　左、中、右の図柄表示部２２ａ〜２２ｃの３つの停止図柄は、呼称として、そのうちの１つを「第１停止図柄」、２つを「第２停止図柄」を言い換えることができる。
　したがって、引用発明１は「停止図柄態様は１つの第１停止図柄と２つの第２停止図柄からなり」なる構成を実質的に具備している。
（５）「抽選結果判定手段５２からの抽選結果に基づく当たり外れコードを受け、図柄表示部２２ａ〜２２ｃを図柄変動させるための図柄変動データと停止図柄の為のデータとを有する変動パターンテーブルＨＴに基づいて、抽選にてパターンデータを決定するとともに停止図柄を決定する停止図柄決定手段６１を設け」について
　当たり外れコードは、抽選手段の抽選結果に基づくものである。また、パターンデータテーブルＨＴは、停止図柄の為の図柄データを有しており、これは予め設定されたものと認められる。
　したがって、引用発明１は「抽選手段の抽選結果に基づいて、遊技図柄の変動後の停止図柄態様を構成する第１，第２停止図柄を、夫々、予め設定された複数の第１，第２停止図柄の中から決定する停止図柄決定手段を設けるとともに、停止図柄決定手段は乱数抽選により停止図柄を決定する」なる構成を実質的に具備している。
（６）「抽選手段５１及び抽選結果判定手段５２を主制御手段の一部として主制御基板に設け、停止図柄決定手段６１は図柄制御手段６０の一部として表示制御基板４０に構成した」について
　上記（１）と同様に、「抽選手段５１」及び「抽選結果判定手段５２」があわせて本願発明の「抽選手段」に相当する。 
 　表示制御基板４０が主制御基板３９と別基板構成となっていることは明らかであり（上記記載事項１−４、１−５、図３、図５）、主制御基板との機能上の関係からみて、表示制御基板４０を副制御基板と言うことができる。 
 　したがって、引用文献１記載の発明は、「抽選手段を主制御基板上に構成し、停止図柄決定手段を主制御基板に対して別基板構成の副制御基板上に構成した」なる構成を実質的に具備している。 
　
 　そうすると、本願発明と引用文献１記載の発明は、 
　「複数の遊技図柄を変動表示する図柄表示手段と、図柄表示手段で表示される遊技図柄の変動後の停止図柄態様を特定態様にするか否か抽選する抽選手段と、図柄表示手段により複数種類の特定態様の何れかが表示された場合に通常閉の大入賞手段を開閉させて遊技者に有利な利益状態を発生させる利益状態発生手段とを備えた弾球遊技機において、
　前記複数種類の特定態様は、複数種類の第１特定態様と複数種類の第２特定態様とを含み、図柄表示手段により第２特定態様が表示された場合に、前記利益状態の発生後に前記抽選手段により停止図柄態様を特定態様にする抽選確率を高くする確率変動手段を備え、
　前記停止図柄態様は１つの第１停止図柄と２つの第２停止図柄からなり、
  前記抽選手段の抽選結果に基づいて、前記遊技図柄の変動後の停止図柄態様を構成する第１，第２停止図柄を、夫々、予め設定された複数の第１，第２停止図柄の中から決定する停止図柄決定手段を設けるとともに、停止図柄決定手段は乱数抽選により停止図柄を決定するように構成され、
　前記抽選手段を主制御基板上に構成し、停止図柄決定手段を主制御基板に対して別基板構成の副制御基板上に構成した弾球遊技機」
である点で一致し、以下の点で相違する。  
 ＜相違点１＞ 
　停止図柄決定手段が、本願発明では第１、第２の停止図柄決定手段からなり、第２停止図柄決定手段は第１停止図柄決定手段による第１停止図柄の決定後に乱数抽選により第２停止図柄を決定するように構成されているのに対し、引用発明１ではそのような構成を有していない点。
＜相違点２＞   
　本願発明においては、予め設定された複数の第１停止図柄は、予め設定された複数の第２停止図柄と異なる図柄で構成されるとともに、複数種類の第１特定態様にのみ共通の図柄であって第１特定態様の一部となる１種類の第１特定態様専用の図柄と、複数種類の第２特定態様にのみ共通の図柄であって第２特定態様の一部となる１種類の第２特定態様専用の図柄と、複数種類の特定態様以外の複数種類の非特定態様にのみ共通の図柄であって非特定態様の一部となる１種類の非特定態様専用の図柄のみで構成されているのに対して、引用文献１記載の発明ではそのような構成を有していない点。
 ＜相違点３＞  
 　停止図柄決定手段について、本願発明においては、第１停止図柄決定手段は主制御基板上に構成し、第２停止図柄決定手段は主制御基板に対して別基板構成の副制御基板上に構成したのに対して、引用発明１においては、副制御基板上に構成した点。 
 　　 
 ４．判断  
 （１）相違点２について  
　まず、相違点２について検討する。
　上記引用文献２において、上記記載事項２−１、２−２によると、上図柄及び中図柄と、下図柄は、異なる図柄で構成されたものであることがわかる。
　また、上記記載事項２−４に基づけば、引用文献２に記載された技術事項の下図柄において、当り図柄「Ｖ」は「大当り」の場合の組合わせの一部をなすものであり、当り図柄「Ｖ」以外の図柄は「外れ」の場合に「大当り」の場合の組合わせ以外の組合わせの一部をなすものであってこれが停止した場合には必ず「外れ」となると解される。そして、引用文献２に記載された技術事項の「大当り」、「外れ」、「「大当り」の場合の組わ合せ」、「「大当り」の場合の組合わせ以外の組合わせ」は、本願発明の「利益状態を発生させる場合」、「利益状態を発生させない場合」、「特定態様」、「非特定態様」にそれぞれ相当する。更に、当たり図柄Ｖを含む「下図柄」は本願発明の「第１停止図柄」に相当し、「上図柄」及び「中図柄」は本願発明の「第２停止図柄」に相当に相当する。なお、上記各図柄は予め設定されたものであることは明らかである。 
　そうすると、上記引用文献２には「予め設定された複数の第１停止図柄は、予め設定された複数の第２停止図柄と異なる図柄で構成されると共に、複数種類の特定態様のみに共通の図柄であって特定態様の一部となる１種類の特定態様用の図柄と、複数種類の特定態様以外の複数種類の非特定態様にのみ共通の図柄であって非特定態様の一部となる非特定態様専用の図柄で構成されるパチンコ機。」（以下、「引用発明２」という。）との技術事項が実質的に記載されている。 
　そして、上記引用発明２の第１停止図柄の特定態様用の図柄は大当り（特定態様）の場合に限って表示される専用のものとなっているか不明である。しかし、大当りでない場合に特定態様用の図柄（当り図柄「Ｖ」）の表示を行うと遊技者に誤解を奏する可能性があることは当業者にとって自明であるから、大当り（特定態様）の場合に限って表示させるようにすることは誰もが思いつく程度の事項に過ぎず、単なる設計事項に過ぎない。 
　また、上記引用発明２の非特定態様用の図柄（以下、「外れ図柄」という。）が１種類となっていないが、非特定態様用の図柄を何種類にするかは、演出をどのようにするかによって決定すればよいことであり、非特定態様用の図柄を共通の１種類とすることは誰もが思いつく程度の事項に過ぎず、単なる設計事項に過ぎない。
　一方、「利益状態の発生後に抽選手段により停止図柄態様を特定態様にする抽選確率を高くする確率変動」させる大当りと通常の抽選確率とする大当りの２種類の大当りを設けること及びその特定態様を区別（例：奇数の大当りと偶数の大当り）することは、例を挙げるまでもなく従来周知の技術手段であるから、当り図柄を各特定態様に共通の２種類のものとすることは誰もが思いつく程度の事項に過ぎない。
　したがって、上記引用発明１において、その第２停止図柄として上記引用発明２の「上図柄」及び「中図柄」を採用し、第１停止図柄として上記引用発明２の下図柄を採用すると共にその際に下図柄における当り図柄として抽選確率を高くする図柄（以下、「確変図柄」という。）と高くしない図柄（以下、「通常図柄」という。）の２種類の図柄とすることは、当業者であれば容易に想到した程度のことである。また、第１停止図柄の特定態様用の図柄を特定態様専用のものとすること、非特定態様用の図柄を１種類とすることが設計事項であるということは上述のとおりである。それ故、上記引用発明１に上記引用発明２及び周知技術を適用し、相違点２に係る本願発明の構成とすることは当業者が容易に想到することができたことである。 
　
（２）相違点１、３について
　相違点１、３は関連しているので、あわせて検討する。
　（ａ）上記（１）で検討したように、引用発明１において、第１停止図柄を各特定又は非特定態様に共通の「第１特定態様専用の図柄」、「第２特定態様専用の図柄」、「非特定態様専用の図柄」の３種類とすることは当業者にとって容易に想到することができたことである。
　（ｂ）一方、引用発明１において、記載事項１−７によれば、主制御手段５０の抽選結果判定手段５２は「確率変動型大当り」、「非確率変動型大当り」、「外れ」のうちの何れであるかを判定するものであり、コマンド出力手段５３は抽選結果判定手段５２から抽選結果を受け、図柄制御コマンドに用いる当たり外れコードとして、確率変動型大当りのときには４２[H] を適用し、非確率変動型大当りのときには４３[H] を適用し、外れのときには４４[H] を適用するものである。そして、記載事項１−９、１−１０、１−１１、１−１２によれば、副制御基板上の停止図柄決定手段は上記当たり外れコードに基づいて停止図柄を決定するものである。
　（ｃ）そうすると、上記（ａ）のように引用発明１において第１停止図柄を３種類のものとした場合、次のことがいえる。
　抽選結果判定手段５２の判定結果である「確率変動型大当り」（当たり外れコードでは「４２[H]」）、「非確率変動型大当り」（当たり外れコードでは「４３[H]」）、「外れ」（当たり外れコードでは「４４[H]」）は、「第２特定態様専用の図柄」、「第１特定態様専用の図柄」、「非特定態様専用の図柄」に対応したものとなる。すなわち、抽選結果判定手段５２で判定が行われた段階で第１停止図柄は決定されることになるから、抽選結果判定手段５２あるいはこれを含む抽選手段が第１停止図柄の決定手段としての機能を有するということができ、第２停止図柄の決定は依然として停止図柄決定手段６１が行うから停止図柄決定手段６１は第２停止図柄決定手段ということができる。そして、抽選結果判定手段５２の判定の後、停止図柄決定手段６１の図柄の決定が行われることから、第１停止図柄の決定後に乱数抽選により第２停止図柄が決定されるということができる。
　更に、引用発明１は、抽選結果判定手段５２あるいはこれを含む抽選手段は主制御基板上に構成され、停止図柄決定手段６１は主制御基板に対して別基板構成の副制御基板上に構成されるから、第１停止図柄を３種類のものとすると「抽選手段と第１停止図柄決定手段とを主制御基板上に構成し、第２停止図柄決定手段を主制御基板に対して別基板構成の副制御基板上に構成した」構成を有するものとなる。
　（ｄ）したがって、相違点１、３は、引用発明１において、第１停止図柄を各特定又は非特定態様に共通の「第１特定態様専用の図柄」、「第２特定態様専用の図柄」、「非特定態様専用の図柄」の３種類とすることに伴って、相違点とはならなくなるものである。
　（ｅ）なお、付言すれば、本願の当初明細書の発明の詳細な説明（段落００４７、図７、図８）をみると、主制御手段５０から図柄制御手段６０に送出される当たり外れコマンドは、「確率変動大当り」の場合は「４２[H]」、「非確率変動大当り」の場合は「４３[H]」、「リーチ有り外れ」の場合は「４４[H]」、「リーチ無し外れ」の場合は「４５[H]」であり、第１停止図柄を主制御基板上の決定手段で決定しているといっても、実質的には「確率変動大当り」、「非確率変動大当り」、「外れ」を決定しているものであり、この点において引用発明１と差異はない。
　（ｆ）仮に、上記のように、相違点１、３が引用発明１における第１停止図柄を３種類とすることに伴って相違点とはならなくなるものでないとしても、以下のように相違点１、３は単なる設計事項にすぎない。
　本願発明の相違点１、３に係る構成は、引用発明１において、停止図柄決定手段を２つに分割して主制御基板と副制御基板上に構成し、主制御基板上の停止図柄決定手段で第１停止図柄を決定し副制御基板上の停止図柄決定手段で第２停止図柄を決定するようにしたものであり、第１停止図柄の決定後に第２停止図柄を決定するようにしたものに相当する。しかし、制御手段をどのように分割するか、どのように分担させるかは、システムの設計上適宜決定すべき事項であって設計事項に過ぎず、図柄の決定順序をどのようにするかも設計事項に過ぎない。 
　 
　そして、本願発明の効果は、引用文献１、２に記載された発明、上記周知技術から当業者が予測できる範囲のものである。 
　 
　したがって、本願発明は、引用文献１、２に記載された発明、上記周知技術に基づいて、当業者が容易に発明をすることができたものである。 
　 
６．　むすび 
　以上のとおり、本願発明は、引用文献１、２に記載された発明及び上記周知技術に基づいて、当業者が容易に発明をすることができたものであるから、特許法２９条２項の規定により特許を受けることができない。 
　したがって、本願は、他の請求項に係る発明について検討するまでもなく拒絶をすべきものである。
　よって、結論のとおり審決する。